【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
情報処理装置と出力画像を表示する画像表示装置との間に接続され、前記画像表示装置の表示特性に基づき前記出力画像の色補正を行うカラー画像処理装置と、
前記情報処理装置と接続され、前記画像表示装置を管理する表示装置管理サーバと、
前記表示装置管理サーバおよび前記情報処理装置の何れかに前記画像表示装置の表示特性を検証するための検証画像を記憶する検証画像記憶手段を具備し、
前記カラー画像処理装置は、
前記検証画像記憶手段で記憶された検証画像を前記情報処理装置の出力画像として取得して前記画像表示装置に表示させ検証画像の表示結果に基づき前記画像表示装置の表示特性を検証する検証手段を具備するカラー画像処理システム。
【請求項２】
前記カラー画像処理装置は、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を用いて前記情報処理装置の出力画像を色補正する色補正手段と
を更に具備する請求項１記載のカラー画像処理システム。
【請求項３】
前記表示装置管理サーバは、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を前記カラー画像処理装置に送信する色補正係数情報送信手段と
を更に具備し、
前記カラー画像処理装置は、
前記色補正係数情報送信手段で送信された色補正係数情報を用いて前記情報処理装置の出力画像を色補正する色補正手段
を更に具備する請求項１記載のカラー画像処理システム。
【請求項４】
前記情報処理装置は、
前記出力画像の出力に先立って、該出力画像の色変換処理を行う色変換手段と、
前記検証画像記憶手段で記憶された検証画像を前記情報処理装置の出力画像として取得する検証画像取得手段と、
前記検証画像取得手段で取得された検証画像を前記画像表示装置に表示させる表示制御手段と
を更に具備し、
前記検証画像取得手段は、
前記検証画像を前記色変換手段で色変換処理させて前記情報処理装置の出力画像として取得する第一の検証画像取得手段と、
前記検証画像を前記色変換手段で色変換処理させないで前記情報処理装置の出力画像として取得する第二の検証画像取得手段と
を更に具備し、
前記表示制御手段は、
前記第一の検証画像取得手段または前記第二の検証画像取得手段で取得された検証画像を前記画像表示装置に表示させる請求項２または３記載のカラー画像処理システム。
【請求項５】
前記表示制御手段は、
前記第一の検証画像取得手段および前記第二の検証画像取得手段で取得された両方の前記検証画像を前記画像表示装置に表示させ、
前記検証手段は、
前記画像表示装置に表示された前記両方の検証画像に基づき前記画像表示装置の表示特性を検証する請求項４記載のカラー画像処理システム。
【請求項６】
前記検証手段は、
前記表示制御手段で表示された前記検証画像の測色結果に基づき前記画像表示装置の表示特性を検証する請求項４記載のカラー画像処理システム。
【請求項７】
前記検証画像記憶手段は、
前記画像表示装置の表示特性を検証するための検証項目に対応した検証画像を記憶し、
前記検証画像取得手段は、
前記検証項目に応じて前記検証画像記憶手段で記憶された該検証項目に対応した検証画像を取得し、
前記検証手段は、
前記検証項目に対応して前記画像表示装置に表示された検証画像の検証結果から該画像表示手段の表示特性を検証する請求項４記載のカラー画像処理システム。
【請求項８】
前記検証手段は、
前記画像表示装置の色再現域を検証する検証項目に対応して前記画像表示装置に表示された検証画像の検証結果から該画像表示装置の色再現域の表示特性を検証し、
前記色補正係数作成手段は、
前記検証手段で検証された前記画像表示装置の色再現域の表示特性と標準色再現領域とを比較して、該画像表示装置で再現困難な色を判別する判別手段
を更に具備し、
前記判別手段で判別された前記再現困難な色が警告を表す所定の色に変換されて表示されるように前記色補正係数情報を作成する請求項７記載のカラー画像処理システム。
【請求項９】
前記色補正係数作成手段は、
前記情報処理装置と接続される印刷装置の色域外の情報を取得する取得手段
を更に具備し、
前記判別手段は、
前記取得手段で取得された前記印刷装置の色域外の情報と前記検証手段で検証された前記画像表示装置の色再現域または標準的な画像表示装置の色再現域の表示特性とを比較して、該印刷装置の色域外に対応する該画像表示装置の色再現域または標準的な画像表示装置の色再現域を該画像表示装置で再現困難な色と判別する請求項８記載のカラー画像処理システム。
【請求項１０】
前記表示装置管理サーバは、
前記画像表示装置の識別情報と、該画像表示装置の表示特性に基づき前記色補正係数作成手段で作成された色補正係数情報および該色補正係数情報の作成日とを対応付けて記憶する色補正係数情報記憶手段と、
前記色補正係数情報記憶手段で記憶された色補正係数情報の作成日に基づき該色補正係数情報が有効期限を超過している画像表示装置を特定する特定手段と、
前記特定手段で特定された画像表示装置に接続された前記カラー画像処理装置に対して前記色補正係数情報が有効期限を超過している旨を示す警告情報を該カラー画像処理装置に送信する警告情報送信手段と
を更に具備し、
前記カラー画像処理装置は、
前記警告情報送信手段で送信された前記警告情報を自装置に接続された情報処理装置の出力画像に合成して自装置に接続された前記画像表示装置に出力する警告情報表示手段を
更に具備する請求項２または３記載のカラー画像処理システム。
【請求項１１】
情報処理装置と前記情報処理装置の出力画像を表示する画像表示装置との間に接続され、前記画像表示装置の表示特性に基づき前記出力画像の色補正を行うカラー画像処理装置と、
前記情報処理装置とネットワークを介して接続され、前記情報処理装置に接続された前記画像表示装置を管理する表示装置管理サーバと、
前記画像表示装置の表示特性を検証する検証装置と
を具備し、
前記表示装置管理サーバは、
前記画像表示装置の表示特性を検証するための検証画像を記憶する検証画像記憶手段と、
前記検証画像記憶手段で記憶された検証画像を前記カラー画像処理装置に送信して該検証画像の表示を指示する検証画像表示指示手段と
を具備し、
前記カラー画像処理装置は、
前記検証画像表示指示手段で前記検証画像の表示の指示とともに送信された前記検証画像を前記画像表示装置に表示させる表示制御手段と
を具備し、
前記検証装置は、
前記表示制御手段で表示させた検証画像の表示結果に基づき前記画像表示装置の表示特性を検証する検証手段を具備するカラー画像処理システム。
【請求項１２】
前記カラー画像処理装置は、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を用いて前記情報処理装置の出力画像を色補正する色補正手段と
を更に具備する請求項１１記載のカラー画像処理システム。
【請求項１３】
前記表示装置管理サーバは、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を前記カラー画像処理装置に送信する色補正係数情報送信手段と
を更に具備し、
前記カラー画像処理装置は、
前記色補正係数情報送信手段で送信された色補正係数情報を用いて前記情報処理装置の出力画像を色補正する色補正手段
を更に具備する請求項１１記載のカラー画像処理システム。
【請求項１４】
情報処理装置と前記情報処理装置の出力画像を表示する画像表示装置との間に接続され、前記画像表示装置の表示特性に基づき前記出力画像の色補正を行うカラー画像処理装置と、
前記情報処理装置とネットワークを介して接続され、前記情報処理装置に接続された前記画像表示装置を管理する表示装置管理サーバと、
前記画像表示装置の表示特性を検証する検証装置と
を具備し、
前記表示装置管理サーバは、
前記カラー画像処理装置に対して前記画像表示装置の表示特性を検証するための検証画像の表示を指示する検証画像表示指示手段
を具備し、
前記カラー画像処理装置は、
前記画像表示装置の表示特性を検証するための検証画像を記憶する検証画像記憶手段と、
前記検証画像表示指示手段による前記検証画像の表示の指示に基づき前記検証画像記憶手段で記憶された検証画像を前記画像表示装置に表示させる表示制御手段と
を具備し、
前記検証装置は、
前記表示制御手段で表示させた検証画像の表示結果に基づき前記画像表示装置の表示特性を検証する検証手段を具備するカラー画像処理システム。
【請求項１５】
前記カラー画像処理装置は、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を用いて前記情報処理装置の出力画像を色補正する色補正手段と
を更に具備する請求項１４記載のカラー画像処理システム。
【請求項１６】
前記表示装置管理サーバは、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を前記カラー画像処理装置に送信する色補正係数情報送信手段と
を更に具備し、
前記カラー画像処理装置は、
前記色補正係数情報送信手段で送信された色補正係数情報を用いて前記情報処理装置の出力画像を色補正する色補正手段を更に具備する請求項１４記載のカラー画像処理システム。
【請求項１７】
情報処理装置と前記情報処理装置の出力画像を表示する画像表示装置との間に接続され、前記画像表示装置の表示特性に基づき前記出力画像の色補正を行うカラー画像処理装置であって、
前記画像表示装置の表示特性を検証するための検証画像を前記情報処理装置の出力画像として取得する検証画像取得手段と、
前記検証画像取得手段で取得された検証画像を前記画像表示装置に表示させる表示制御手段と、
前記表示制御手段で表示させた検証画像の表示結果に基づき前記画像表示装置の表示特性を検証する検証手段と、
前記検証手段で検証された前記画像表示装置の表示特性に基づき前記情報処理装置の出力画像を色補正するための色補正係数情報を作成する色補正係数作成手段と、
前記色補正係数作成手段で作成された色補正係数情報を用いて前記情報処理装置の出力画像を色補正する色補正手段と
を具備するカラー画像処理装置。
【請求項１８】
コンピュータを
情報処理装置の出力画像を表示する画像表示装置の表示特性を検証する検証画像を記憶する検証画像記憶手段、
前記検証画像記憶手段で記憶された検証画像を前記情報処理装置の出力画像として取得する検証画像取得手段、
前記検証画像取得手段で取得された検証画像を前記画像表示装置に表示させる表示制御手段、
前記表示制御手段で表示させた検証画像の表示結果に基づき前記画像表示装置の表示特性を検証する検証手段、
前記検証手段で検証された前記画像表示装置の表示特性に基づき前記情報処理装置の出力画像を色補正するための色補正係数情報を作成する色補正係数作成手段、
前記色補正係数作成手段で作成された色補正係数情報を用いて前記情報処理装置の出力画像を色補正する色補正手段
として機能させるカラー画像処理プログラム。